(57)【要約】【課題】光源ユニットを器具本体に簡易に取り付けることができる照明装置を提供する。【解決手段】照明装置１は、所定の姿勢で固定される第１給電コネクタ１９１と第１給電コネクタ１９１を収容する収容凹部２１とを有する長尺状の器具本体２０と、長尺状の発光モジュール１２０と、発光モジュール１２０を覆うように配置される透光カバー１６０と、透光カバー１６０が取り付けられる基台１００と、所定の姿勢で固定される第２給電コネクタ１３２と有する光源ユニット１０と、電力を発光モジュール１２０に供給する電源装置１３０とを備える。また、収容凹部２１には、係合部１８２が設けられる。さらに、基台１００は、被係合部１０３を有する。そして、光源ユニット１０を収容凹部２１に装着した際に、被係合部１０３が係合部１８２と係合され、かつ第２給電コネクタ１３２が第１給電コネクタ１９１と接続される。【選択図】図５
2020071999.tif 000002
【特許請求の範囲】
【請求項１】
所定の姿勢で固定される第１給電コネクタと前記第１給電コネクタを収容する筐体とを有する長尺状の器具本体と、
長尺状の発光モジュールと、前記発光モジュールを覆うように配置され、かつ透光性を有する透光カバーと、前記透光カバーに光を出射する姿勢で前記発光モジュールを保持し、かつ前記透光カバーが取り付けられる取付部材と、前記発光モジュールと電気的に接続され、かつ所定の姿勢で固定される第２給電コネクタとを有する光源ユニットと、
電力を前記発光モジュールに供給する電源装置とを備え、
前記筐体には、係合部が設けられ、
前記取付部材は、被係合部を有し、
前記光源ユニットを前記筐体に装着した際に、前記被係合部が前記係合部と係合され、かつ、前記第２給電コネクタが前記第１給電コネクタと接続される
照明装置。
【請求項２】
前記筐体に対する前記光源ユニットの着脱方向と、前記第１給電コネクタに対する前記第２給電コネクタの着脱方向とが略同一の方向である
請求項１に記載の照明装置。
【請求項３】
前記第２給電コネクタは、前記第１給電コネクタに対してスライドされることで、前記第１給電コネクタと電気的に接続又は切断され、
前記第１給電コネクタと前記第２給電コネクタとは、前記第１給電コネクタに対する前記第２給電コネクタの所定のスライド量の間で電気的に接続される
請求項２に記載の照明装置。
【請求項４】
前記係合部は、板ばねで形成される
請求項１〜３のいずれか１項に記載の照明装置。
【請求項５】
さらに、前記光源ユニットが前記筐体と対向する姿勢で保持される保持部を備える
請求項１〜４のいずれか１項に記載の照明装置。
【請求項６】
前記保持部は、コイル部と、前記コイル部に接続された腕部とを有する取付ばねであり、
前記コイル部は、前記光源ユニットに取り付けられ、
前記器具本体は、前記光源ユニットと対向する前記筐体に前記腕部を挿通させる引掛け孔が設けられ、
前記引掛け孔に前記腕部を引っ掛けることで、前記光源ユニットは、前記器具本体に装着される
請求項５に記載の照明装置。
【発明の詳細な説明】
【技術分野】
【０００１】
本開示は、照明装置に関する。
【背景技術】
【０００２】
特許文献１には、筐体と、筐体に収容される光源部と、光源部に固定された一対の板ばねとを備える照明装置が開示されている。この照明装置では、光源部を筐体に取り付ける際に、板ばねを筐体に引っ掛けて光源部を仮保持し、仮保持の状態で光源部に給電するための電気配線のコネクタを光源部のコネクタに接続し、光源部を筐体に向かって押し上げることで、板ばねが筐体の取付孔に係合されて光源部が筐体に係合される。こうして、光源部が筐体に取り付けられる。
【先行技術文献】
【特許文献】
【０００３】
【特許文献１】特開２０１４−７２１３６号公報
【発明の概要】
【発明が解決しようとする課題】
【０００４】
しかしながら、従来の照明装置において、上記のような工程では、光源部を筐体に取り付けるために手間がかかる。
【０００５】
本開示は、光源ユニットを器具本体に簡易に取り付けることができる照明装置を提供することを目的とする。
【課題を解決するための手段】
【０００６】
上記目的を達成するために、本開示に係る照明装置の一態様は、所定の姿勢で固定される第１給電コネクタと前記第１給電コネクタを収容する筐体とを有する長尺状の器具本体と、長尺状の発光モジュールと、前記発光モジュールを覆うように配置され、かつ透光性を有する透光カバーと、前記透光カバーに光を出射する姿勢で前記発光モジュールを保持し、かつ前記透光カバーが取り付けられる取付部材と、前記発光モジュールと電気的に接続され、かつ所定の姿勢で固定される第２給電コネクタとを有する光源ユニットと、電力を前記発光モジュールに供給する電源装置とを備え、前記筐体には、係合部が設けられ、前記取付部材は、被係合部を有し、前記光源ユニットを前記筐体に装着した際に、前記被係合部が前記係合部と係合され、かつ、前記第２給電コネクタが前記第１給電コネクタと接続される。
【発明の効果】
【０００７】
本開示によれば、光源ユニットを器具本体に簡易に取り付けることができる。
【図面の簡単な説明】
【０００８】
【図１】図１は、実施の形態に係る照明装置の外観を例示する斜視図である。
【図２】図２は、実施の形態に係る照明装置において、光源ユニットと器具本体とを例示する分解斜視図である。
【図３】図３は、実施の形態に係る照明装置を例示する分解斜視図である。
【図４Ａ】図４Ａは、図２のＩＶＡ−ＩＶＡ線において、光源ユニットを器具本体に装着する前における、光源ユニット及び器具本体の断面を例示する断面図である。
【図４Ｂ】図４Ｂは、光源ユニットを器具本体に装着している状態における、光源ユニット及び器具本体の断面を例示する断面図である。
【図４Ｃ】図４Ｃは、光源ユニットを器具本体に装着した後の照明装置の断面を例示する断面図である。
【図５】図５は、光源ユニットを器具本体に装着する前の仮吊り状態、取付ばねを取付け孔に挿入する状態及び光源ユニットを器具本体に取付け完了の状態を例示した図である。
【図６】図６は、変形例に係る照明装置において、光源ユニットと器具本体とを例示する分解斜視図である。
【図７】図７は、変形例に係る照明装置において、第１給電コネクタと電源装置とを例示する斜視図である。
【図８】図８は、変形例に係る照明装置において、光源ユニットと器具本体とを例示する別の分解斜視図である。
【図９】図９は、変形例に係る照明装置において、光源ユニットを器具本体に装着する前における、光源ユニット及び器具本体の断面を例示する断面図である。
【発明を実施するための形態】
【０００９】
以下、本開示の実施の形態について、図面を参照しながら説明する。以下に説明する実施の形態は、いずれも本開示の一具体例を示すものである。したがって、以下の実施の形態で示される数値、形状、材料、構成要素、構成要素の配置位置及び接続形態等は、一例であって本開示を限定する主旨ではない。よって、以下の実施の形態における構成要素のうち、本開示の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
以下の説明において、各図において、器具本体と光源ユニットとの並び方向をＸ軸方向と規定し、照明装置の長手方向をＹ軸方向、照明装置の短手方向をＺ軸方向とする。Ｘ軸方向、Ｙ軸方向及びＺ軸方向は、それぞれが直交する。
【００１２】
以下、本開示の実施の形態に係る照明装置について説明する。
【００１３】
（実施の形態）
図１は、実施の形態に係る照明装置１の外観を例示する斜視図である。
【００１４】
図１に示すように、照明装置１は、ＬＥＤ（Ｌｉｇｈｔ  Ｅｍｉｔｔｉｎｇ  Ｄｉｏｄｅ）を用いたＬＥＤ照明であり、例えば天井直付け型の照明装置１である。図１及び図２に示すように、照明装置１は、光源ユニット１０と、器具本体２０とを備える。
【００１５】
光源ユニット１０は、ＬＥＤを光源とする発光部であり、周囲を照明する光、例えば白色光を発する。また、本実施の形態において、光源ユニット１０は、ライン状に発光するライン光源であり、Ｙ軸方向に長尺である。光源ユニット１０は、照明装置１に内蔵された後述する電源装置１３０によって点灯する。
【００１６】
光源ユニット１０は、器具本体２０に固定される。光源ユニット１０は、図２に示すように、器具本体２０の開口部に着脱自在に取り付けられる。図２は、実施の形態に係る照明装置１において、光源ユニット１０と器具本体２０とを例示する分解斜視図である。
【００１７】
図３に示すように、光源ユニット１０は、基台１００と、発光モジュール１２０と、電源装置１３０と、一対の取付ばね１４０と、透光カバー１６０とを備える。図３は、実施の形態に係る照明装置１を例示する分解斜視図である。
【００１８】
基台１００は、透光カバー１６０に光を出射する姿勢で発光モジュール１２０を保持する。つまり、基台１００は、発光モジュール１２０を保持するベース部材であり、Ｙ軸方向に長尺である。基台１００の表面（Ｘ軸プラス方向側の面）には発光モジュール１２０の基板１２１が載置される。基台１００に基板１２１を載置して基板１２１を基台１００に固定することで、基板１２１は、基台１００に保持される。また、基台１００には、透光カバー１６０が取り付けられる。基台１００は、取付部材の一例である。
【００１９】
基台１００と基板１２１とは、例えばネジ等の固定部材によって固定されてもよく、基板１２１に設けられた切り欠き部に本体部１０２に設けられた爪部を係止するスナップインで固定されてもよい。
【００２０】
本実施の形態において、基台１００は、アルミニウム、鉄等の板金製である。例えば、基台１００は、ＳＰＣＣ（Ｓｔｅｅｌ  Ｐｌａｔｅ  Ｃｏｌｄ  Ｃｏｍｍｅｒｃｉａｌ；冷間圧延鋼板）製の板金（金属板）にロール成形加工又はプレス加工等を施すことにより所定の形状に形成される。
【００２１】
基台１００は、基板１２１を載置するための長尺な本体部１０２と、本体部１０２の長手方向に沿って形成された一対の側壁部１０１とを有する。
【００２２】
本体部１０２は、Ｙ軸方向に長尺、かつ略矩形状に形成される。本体部１０２には、短手方向（Ｚ軸方向）に一対をなす段差部が長手方向に沿って形成され、この一対の段差部によって形成された凹状部分に基板１２１が載置される。
【００２３】
一対の側壁部１０１は、Ｙ軸方向に長尺であり、本体部１０２から立設し、本体部１０２の短手方向（Ｚ軸方向）の両側端縁からＸ軸マイナス方向に延設される。一対の側壁部１０１のそれぞれは、一対の被係合部１０３を有する。
【００２４】
被係合部１０３は、係合部１８２と係合する。本実施の形態では、被係合部１０３は、一対の側壁部１０１の一部を凹ませることで形成した凹部である。なお、被係合部１０３は、凹部に限定されず、一対の側壁部１０１の一部を切り欠いた形状でもよく、貫通孔でもよく、凸状でもよい。
【００２５】
発光モジュール１２０は、基台１００に配置された基板１２１と、基板１２１に実装されたＬＥＤ素子１２２とを有する。本実施の形態における発光モジュール１２０は、表面実装（ＳＭＤ：Ｓｕｒｆａｃｅ  Ｍｏｕｎｔ  Ｄｅｖｉｃｅ）構造の発光モジュール１２０であり、基板１２１にはＳＭＤ素子であるＬＥＤ素子１２２が実装される。
【００２６】
基板１２１は、基台１００の本体部１０２に載置されて本体部１０２に固定される。基板１２１の裏面（Ｘ軸マイナス方向側の面）が本体部１０２と接触しており、基板１２１に伝導されたＬＥＤ素子１２２の熱を基台１００に放熱する。
【００２７】
基板１２１は、ＬＥＤ素子１２２を実装する実装基板である。基板１２１は、例えば、Ｙ軸方向に長尺、かつ略矩形状であり、例えば、樹脂基板、メタルベース基板、セラミック基板等を用いる。
【００２８】
また、基板１２１には、ＬＥＤ素子１２２を発光させるための電力を受ける外部接続端子として電極（不図示）が設けられる。さらに、基板１２１には、電極とＬＥＤ素子１２２とを電気的に接続したり複数のＬＥＤ素子１２２同士を電気的に接続したりするための金属配線（不図示）が所定形状のパターンで形成される。
【００２９】
複数のＬＥＤ素子１２２は、基板１２１の長手方向（Ｙ軸方向）に沿って直線状に一列にかつ所定の間隔を置いて、基板１２１に実装される。また、ＬＥＤ素子１２２の各々は、金属配線を介して基板１２１に設けられた電極と電気的に接続される。
【００３０】
本実施の形態において、各ＬＥＤ素子１２２は、樹脂製等の容器（パッケージ）と、容器内に配置されたＬＥＤチップ（ベアチップ）と、ＬＥＤチップを封止する封止部材とを備える。ＬＥＤ素子１２２が白色光を放出する白色ＬＥＤ素子である場合、例えば、ＬＥＤチップとしては、通電されると青色光を発する青色ＬＥＤチップが用いられ、容器に充填される封止部材としては、黄色蛍光体が含有されたシリコーン樹脂（蛍光体含有樹脂）が用いられる。
【００３１】
電源装置１３０は、基台１００の裏面側（発光モジュール１２０が配置される側とは反対側）であり、器具本体２０と基台１００との間に配置される。つまり、電源装置１３０は、発光モジュール１２０とで基台１００を挟み、基板１２１とは反対側に配置される。電源装置１３０と発光モジュール１２０とは基台１００を介して隔てられる。
【００３２】
本実施の形態において、電源装置１３０は、回路ケース１３１に覆われる。具体的には、回路基板は、回路ケース１３１で囲まれる領域に収納される。これにより、電源装置１３０が回路ケース１３１によって保護される。
【００３３】
電源装置１３０は、発光モジュール１２０のＬＥＤ素子１２２を発光させるための電力を生成する電源回路によって構成される。電源回路は、プリント配線基板等の回路基板と、回路基板に実装された複数の電子部品（不図示）とによって構成される。電源装置１３０は、例えば、系統電力（商用電源）等の外部電源からの交流電流を、整流、平滑及び降圧等して所定レベルの直流電流に変換し、当該直流電流を発光モジュール１２０に供給する。
【００３４】
回路基板には、系統電力側の接続部である入力側接続部と、発光モジュール１２０側の出力側接続部である第２給電コネクタ１３２とが設けられる。入力側接続部は、リード線等の電力線によって系統電力と電気的に接続される。また、第２給電コネクタ１３２は、後述する第１給電コネクタ１９１を介して発光モジュール１２０と電気的に接続される。
【００３５】
第２給電コネクタ１３２は、発光モジュール１２０と電気的に接続され、かつ所定の姿勢で固定される。具体的には、第２給電コネクタ１３２は、器具本体２０に対して光源ユニット１０を着脱する際に、器具本体２０の第１給電コネクタ１９１に対して挿入又は抜去できるように、電源装置１３０の回路ケース１３１に固定される。また、第２給電コネクタ１３２は、回路ケース１３１のＹ軸プラス方向側に固定される。本実施の形態では、第２給電コネクタ１３２は、回路ケース１３１のＹ軸プラス方向側に固定されるが、光源ユニット１０を器具本体２０に装着する際に、第２給電コネクタ１３２と第１給電コネクタ１９１とが同時に電気的に接続されればよいため、第２給電コネクタ１３２の配置は限定されない。
【００３６】
第２給電コネクタ１３２は、Ｙ軸方向に長尺なスリット状のコネクタである。第２給電コネクタ１３２は、互いに対向する給電部を有する。第２給電コネクタ１３２には、この給電部に第１給電コネクタ１９１がＸ軸方向にスライドして挿入又は抜去される。これにより、第２給電コネクタ１３２は、第１給電コネクタ１９１に対してＸ軸方向にスライドされることで、第１給電コネクタ１９１と電気的に接続又は切断される。
【００３７】
また、第１給電コネクタ１９１と第２給電コネクタ１３２とは、第１給電コネクタ１９１に対する第２給電コネクタ１３２のＹ軸方向のスライド量（所定のスライド量の一例）の間で電気的に接続される。つまり、第１給電コネクタ１９１と第２給電コネクタ１３２とが電気的に接続された後に、基板１２１が熱膨張してＹ軸方向に延びて第２給電コネクタ１３２がズレたとしても、第１給電コネクタ１９１と第２給電コネクタ１３２とがＹ軸方向のスライド量の間で電気的に接続される。本実施の形態では、第２給電コネクタ１３２は、雌型の給電コネクタであるが、雄型の給電コネクタでもよい。
【００３８】
一対の取付ばね１４０のそれぞれは、基台１００に取り付けられるコイル部１４１と、コイル部１４１に接続されてコイル部１４１からＹ軸方向に広がる方向に付勢力を付与する一対の腕部１４２とを有する取付ばね１４０（ねじりコイルばねともいう）である。一対の取付ばね１４０のそれぞれは、光源ユニット１０が収容凹部２１と対向する姿勢で保持する。取付ばね１４０は、基台１００の本体部１０２の裏面（Ｘ軸マイナス方向側の面）に取り付けられる。一対の腕部１４２のそれぞれには、先端部分が曲げられて形成された引掛部が設けられる。取付ばね１４０は、保持部の一例である。
【００３９】
一対の取付ばね１４０は、器具本体２０に形成された一対の引掛け孔２２に挿通され、一対の腕部１４２がコイル部１４１からＹ軸方向に広がる付勢力、つまり一対の腕部１４２が末広がる方向の付勢力を引掛け孔２２に付与する。これにより、一対の取付ばね１４０が引掛け孔２２に対してＸ軸マイナス方向に光源ユニット１０を押し上げる力を働かせる。なお、本実施の形態では、一対の取付ばね１４０が照明装置１に設けられているが、照明装置１は一対の取付ばね１４０を有していなくてもよい。
【００４０】
透光カバー１６０は、基台１００における一対の取付ばね１４０側とは反対側に設けられる。透光カバー１６０は、Ｘ軸プラス方向から見た場合に、発光モジュール１２０を覆うように配置されたカバー部材であり、発光モジュール１２０のＬＥＤ素子１２２からの光を透過する透光性を有する。透光カバー１６０は、Ｙ軸方向に長尺な略半円筒形状である。透光カバー１６０は、図示しない取付爪部を有し、基台１００に取付爪部を基台１００に取り付けることで、基台１００が透光カバー１６０に固定される。
【００４１】
透光カバー１６０は、例えばアクリルやポリカーボネート等の透光性樹脂材料又はガラス材料等の透光性を有する材料で構成される。なお、透光カバー１６０は、光拡散性を有していてもよい。つまり、透光カバー１６０は、透明カバーではなく、透光性及び光拡散性を有する拡散カバーでもよい。この場合、透光カバー１６０は、光拡散材が内部に分散された乳白色の拡散パネル、透光カバー１６０の表面（内面又は外面）に光拡散材等を含む乳白色の光拡散膜を形成した拡散パネル、又は、シボ加工等の表面処理を施すことによって透明パネルの表面に微小凹凸を形成した拡散パネルであってもよい。光拡散材としては、シリカ粒子等の光反射性微粒子を用いてもよい。
【００４２】
器具本体２０は、透光カバー１６０とで照明装置１の外装を構成する。器具本体２０は、光源ユニット１０を保持する保持部材であり、例えば吊りボルト等によって室内の天井側の造営材に固定される。器具本体２０は、例えば板金製であり、金属板に曲げ加工等を施すことにより、Ｘ軸方向に長尺、かつ扁平な箱形状に形成される。器具本体２０の下面（Ｘ軸プラス方向側の面）には、Ｙ軸方向に長尺、かつ矩形状に開口した収容凹部２１が設けられる。
【００４３】
器具本体２０は、収容凹部２１の一部に固定された一対の板ばね１８０を有する。図４Ａは、図２のＩＶＡ−ＩＶＡ線において、光源ユニット１０を器具本体２０に装着する前における、光源ユニット１０及び器具本体２０の断面を例示する断面図である。
【００４４】
図３及び図４Ａに示すように、一対の板ばね１８０は、収容凹部２１におけるＸ軸マイナス方向側に固定され、Ｙ軸方向に視て収容凹部２１の形状に沿うように形成される。本実施の形態では、一対の板ばね１８０は、Ｙ軸方向に視て、Ｕ字状に折り曲げられた形状である。板ばね１８０は、収容凹部２１のＹ軸方向の両側に、それぞれ配置される。
【００４５】
一対の板ばね１８０のそれぞれは、収容凹部２１の外側に配置される固定部１８１と、固定部１８１の両端に形成された一対の係合部１８２とを有する。
【００４６】
固定部１８１は、Ｙ軸方向に視て収容凹部２１の形状に沿うように形成されるＵ字状である。固定部１８１は、一対の係合部１８２が収容凹部２１の後述する一対の側面部２５から突出するように、収容凹部２１に固定される。つまり、固定部１８１は、一対の係合部１８２が一対の側面部２５から突出させるために、収容凹部２１の両側（短手方向側）から挟む。固定部１８１は、固定部１８１に形成された図示しない取付爪部と収容凹部２１とが係合することで、収容凹部２１に固定される。なお、固定部１８１は、図示しない固定部材によって収容凹部２１に固定されてもよい。
【００４７】
一対の係合部１８２は、収容凹部２１内で、互いに対向して近づくように突出する凸部である。本実施の形態では、一対の係合部１８２は、板ばね１８０の両端を折り曲げて形成される。一対の係合部１８２のそれぞれは、少なくともその一部が収容凹部２１の一対の側面部２５から突出する。一対の係合部１８２は、被係合部１０３がＸ軸方向にスライドできるような傾斜面を有する。
【００４８】
本実施の形態では、係合部１８２は、板ばね１８０によって構成されるがこれには限定されない。また、係合部１８２は、収容凹部２１の一部を切り欠いた形状、貫通孔でも、凹状でもよい。
【００４９】
収容凹部２１には、光源ユニット１０が着脱自在に嵌めこまれ、少なくとも光源ユニット１０の一部が収容される。収容凹部２１は、基台１００に対向する底面部２４と、底面部２４から立設する一対の側面部２５とを有する。収容凹部２１は、筐体の一例である。
【００５０】
底面部２４は、Ｙ軸方向に長尺であり、収容凹部２１の底部分である。底面部２４は、系統電力側の接続部である第１給電コネクタ１９１と、一対の引掛け孔２２とを有する。第１給電コネクタ１９１は、底面部２４のＸ軸プラス方向側の面に固定される。本実施の形態では、第１給電コネクタ１９１は、光源ユニット１０を収容凹部２１に装着する際に、光源ユニット１０に固定された電源装置１３０の第２給電コネクタ１３２と対応する位置、つまり第２給電コネクタ１３２と電気的に接続される位置に配置される。このため、第１給電コネクタ１９１の位置は、本実施の形態に限定されない。例えば、必ずしも第２給電コネクタ１３２は電源装置１３０と一体である必要はなく、第２給電コネクタ１３２と電源装置１３０とが電気配線を介して離れていてもよい。
【００５１】
第１給電コネクタ１９１は、板状のコネクタであり、底面部２４からＸ軸プラス方向に立設し、収容凹部２１に収容されて所定の姿勢で固定される。本実施の形態では、第１給電コネクタ１９１は、雄型の給電コネクタであるが、雌型の給電コネクタでもよい。なお、第１給電コネクタ１９１は系統電力が給電されるため、第１給電コネクタ１９１が雄型の給電コネクタであっても、ユーザは、光源ユニット１０の両端側を持って器具本体２０に取り付けるため、感電し難い。
【００５２】
また、第１給電コネクタ１９１には系統電力からの交流電流が供給される。第１給電コネクタ３９１から第２給電コネクタ３３２には交流電流が供給されて、電源装置１３０が系統電力からの交流電流を直流電流に変換して発光モジュール１２０に直流電流を供給する。
【００５３】
第１給電コネクタ１９１は、例えば第２給電コネクタ１３２に対してＸ軸方向にスライドして挿入又は抜去される。また、第１給電コネクタ１９１は、第２給電コネクタ１３２に挿入後、Ｙ軸方向にもスライドできる。つまり、第１給電コネクタ１９１は、第２給電コネクタ１３２に挿入後、第２給電コネクタ１３２と電気的に接続された状態で、Ｙ軸方向にも一定の幅でスライド可能なコネクタ構造とされている。第１給電コネクタ１９１のＹ軸方向の長さは、第２給電コネクタ１３２のＹ軸方向の長さよりも短い。このため、第２給電コネクタ１３２の給電部間で第１給電コネクタ１９１がＹ軸方向にスライドしても、第１給電コネクタ１９１と第２給電コネクタ１３２とが電気的に接続できる。
【００５４】
一対の引掛け孔２２は、一対の取付ばね１４０と一対一で対応し、一対の取付ばね１４０の腕部１４２が挿通される光源ユニット１０を取付けるための取付孔である。引掛け孔２２は、底面部２４の長手方向の両側にそれぞれ形成される。
【００５５】
一対の側面部２５は、Ｙ軸方向に長尺であり、底面部２４の短手方向の両側端縁からＸ軸プラス方向に延設される。一対の側面部２５のそれぞれには、板ばね１８０の一対の係合部１８２が突出するための一対の挿通孔２３が形成される。一対の側面部２５は、一対の板ばね１８０によって挟まれる。一対の側面部２５において、互いに対向する側の面からは、一対の挿通孔２３のそれぞれを挿通した一対の係合部１８２がそれぞれ突出する。
【００５６】
［取り付け方］
ここでは、作業者が光源ユニット１０を器具本体２０に取り付ける際の手順について、図４Ａ、図４Ｂ、図４Ｃ及び図５説明する。図４Ｂは、光源ユニット１０を器具本体２０に装着している状態における、光源ユニット１０及び器具本体２０の断面を例示する断面図である。図４Ｃは、光源ユニット１０を器具本体２０に装着した後の照明装置１の断面を例示する断面図である。図５は、光源ユニット１０を器具本体２０に装着する前の仮吊り状態、取付ばね１４０を引掛け孔２２に挿入する状態及び光源ユニット１０を器具本体２０に取付け完了の状態を例示した図である。
【００５７】
まず、作業者は、仮吊りワイヤー１９０によって器具本体２０に対して光源ユニット１０を仮保持する。器具本体２０及び光源ユニット１０には、図示しないワイヤー引掛け部がそれぞれ形成され、作業者が仮吊りワイヤー１９０をワイヤー引掛け部に引っ掛けられることで、光源ユニット１０が器具本体２０に対して仮保持される。仮吊りワイヤー１９０は例えばゴム、バネ等の糸状の部材で構成される。
【００５８】
次に、作業者は光源ユニット１０の一対の取付ばね１４０の腕部１４２を直立するように揺動させた後、収容凹部２１の一対の引掛け孔２２にそれぞれ挿入する。なお、この状態では、一対の取付ばね１４０がそれぞれ有する一対の腕部１４２のそれぞれの引掛部が一対の引掛け孔２２に引っ掛かることで、光源ユニット１０が器具本体２０に仮保持されてもよい。この場合、仮吊りワイヤー１９０を用いなくてもよく、器具本体２０及び光源ユニット１０にワイヤー引掛け部を形成しなくてもよい。
【００５９】
次に、作業者は、光源ユニット１０を持ち上げて器具本体２０の収容凹部２１に押し込むことで、一対の係合部１８２が基台１００に押されることで、一対の係合部１８２が互いに離れるように一対の板ばね１８０が弾性変形する。光源ユニット１０が収容凹部２１に挿入され終わると、一対の板ばね１８０の復元力によって元に戻り係合部１８２が被係合部１０３に挿入されて、係合部１８２が被係合部１０３に係合される。またこれと同時に、一対の取付ばね１４０のそれぞれが直立された一対の腕部１４２は、器具本体２０と当接して復元力で広がり、引掛け孔２２に腕部１４２が引っ掛かる。さらにこれらと同時に、第１給電コネクタ１９１が第２給電コネクタ１３２に挿入されて、第１給電コネクタ１９１と第２給電コネクタ１３２とが電気的に接続される。こうして、光源ユニット１０は器具本体２０に装着される。
【００６０】
なお、器具本体２０から光源ユニット１０を取り外す場合はこの手順の逆になる。このため、収容凹部２１に対する光源ユニット１０の着脱方向と、第１給電コネクタ１９１に対する第２給電コネクタ１３２の着脱方向とが略同一の方向である。
【００６１】
［作用効果］
次に、本実施の形態における照明装置１の作用効果について説明する。
【００６２】
上述したように、本実施の形態に係る照明装置１は、所定の姿勢で固定される第１給電コネクタ１９１と第１給電コネクタ１９１を収容する収容凹部２１とを有する長尺状の器具本体２０と、長尺状の発光モジュール１２０と、発光モジュール１２０を覆うように配置され、かつ透光性を有する透光カバー１６０と、透光カバー１６０に光を出射する姿勢で発光モジュール１２０を保持し、かつ透光カバー１６０が取り付けられる基台１００と、発光モジュール１２０と電気的に接続され、かつ所定の姿勢で固定される第２給電コネクタ１３２と有する光源ユニット１０と、電力を発光モジュール１２０に供給する電源装置１３０とを備える。また、収容凹部２１には、係合部１８２が設けられる。さらに、基台１００は、被係合部１０３を有する。そして、光源ユニット１０を収容凹部２１に装着した際に、被係合部１０３が係合部１８２と係合され、かつ第２給電コネクタ１３２が第１給電コネクタ１９１と接続される。
【００６３】
例えば、従来の照明装置１では、作業者は、光源ユニット１０を器具本体２０に取り付ける際に、光源ユニット１０を器具本体２０に引っ掛けて光源ユニット１０を仮保持し、仮保持の状態で光源ユニット１０に給電するための系統電力側の電気配線の先端の給電コネクタと光源ユニット１０側の電気配線の給電コネクタとを接続する。しかしながら、仮保持の状態でこれらの給電コネクタを電気的に接続することは、施工が容易でなく施工に時間がかかる。
【００６４】
そこで本開示では、光源ユニット１０を押し上げて器具本体２０の収容凹部２１に取り付けた際に、被係合部１０３が係合部１８２と係合され、かつ第２給電コネクタ１３２が第１給電コネクタ１９１と電気的に接続される。つまり、光源ユニット１０を収容凹部２１に挿入するだけで、被係合部１０３と係合部１８２との係合と、第２給電コネクタ１３２と第１給電コネクタ１９１との電気的な接続とを同時に行うことができる。
【００６５】
したがって、この照明装置１では、光源ユニット１０を器具本体２０に簡易に取り付けることができる。
【００６６】
特に、係合部１８２が被係合部１０３に係合されるため、光源ユニット１０を器具本体２０に保持することができる。
【００６７】
また、本実施の形態に係る照明装置１は、収容凹部２１に対する光源ユニット１０の着脱方向と、第１給電コネクタ１９１に対する第２給電コネクタ１３２の着脱方向とが略同一の方向である。
【００６８】
これによれば、器具本体２０に対する光源ユニット１０の装着と同時に、第１給電コネクタ１９１と第２給電コネクタ１３２とが確実に電気的に接続することができるため、第１給電コネクタ１９１と第２給電コネクタ１３２との接続が簡易である。
【００６９】
また、本実施の形態に係る照明装置１において、第２給電コネクタ１３２は、第１給電コネクタ１９１に対してスライドされることで、第１給電コネクタ１９１と電気的に接続又は切断される。そして、第１給電コネクタ１９１と第２給電コネクタ１３２とは、第１給電コネクタ１９１に対する第２給電コネクタ１３２のＹ軸方向のスライド量の間で電気的に接続される。
【００７０】
これによれば、例えば照明装置１の使用によって光源ユニット１０が熱膨張によって第２給電コネクタ１３２が第１給電コネクタ１９１に対して着脱方向に移動しても、第１給電コネクタ１９１が第２給電コネクタ１３２に対してＹ軸方向のスライド量の間、第１給電コネクタ１９１と第２給電コネクタ１３２とが電気的に接続される。このため、光源ユニット１０が熱膨張しても、第１給電コネクタ１９１と第２給電コネクタ１３２とを確実に電気的に接続することができる。
【００７１】
また、本実施の形態に係る照明装置１において、係合部１８２は、板ばね１８０で形成される。
【００７２】
例えば線バネで係合部１８２を形成した場合に比べて、板ばね１８０で係合部１８２を形成した方が、係合部１８２と被係合部１０３との接触面積を容易に大きくすることができる。このため、光源ユニット１０を器具本体２０に強固に保持することができる。
【００７３】
また、本実施の形態に係る照明装置１は、さらに、光源ユニット１０が収容凹部２１と対向する姿勢で保持される保持部を備える。
【００７４】
これによれば、光源ユニット１０を所定の姿勢で保持することで、光源ユニット１０を収容凹部２１に装着する際の作業性を向上させることができる。
【００７５】
また、本実施の形態に係る照明装置１において、保持部は、コイル部１４１と、コイル部１４１に接続された腕部１４２とを有する取付ばね１４０である。また、コイル部１４１は、光源ユニット１０に取り付けられる。さらに、器具本体２０は、光源ユニット１０と対向する収容凹部２１に腕部１４２を挿通させる引掛け孔２２が設けられる。そして、引掛け孔２２に腕部１４２を引っ掛けることで、光源ユニット１０は、器具本体２０に装着される。
【００７６】
これによれば、係合部１８２と被係合部１０３とによる器具本体２０に対する光源ユニット１０の保持だけでなく、取付ばね１４０による器具本体２０に対する光源ユニット１０の保持を行うことができる。また、取付ばね１４０は、腕部１４２が所定の付勢力を引掛け孔２２に付与するため、光源ユニット１０を押し上げることができる。このため、光源ユニット１０を器具本体２０に確実に保持することができる。
【００７７】
（変形例）
以上、本開示について、実施の形態に基づいて説明したが、本開示は、上記照明装置に限定されるものではない。
【００７８】
例えば、上記各実施の形態に係る照明装置において、第１給電コネクタ及び第２給電コネクタには、電力が供給される電力線が配線されているが、光源モジュールを調光制御及び調色制御するための信号線が配線されていてもよい。
【００７９】
また、上記各実施の形態に係る照明装置において、第１給電コネクタ及び第２給電コネクタは、図６及び図７のような筒状のコネクタでもよい。図６は、変形例に係る照明装置１ｂにおいて、光源ユニット１０と器具本体２０とを例示する分解斜視図である。図７は、変形例に係る照明装置１ｂにおいて、第１給電コネクタ２９１と電源装置１３０とを例示する斜視図である。第１給電コネクタ２９１及び第２給電コネクタ２３２の形状、規格等は本実施の形態に開示された構成に限定されず、他の公知のコネクタを用いてもよい。この照明装置１ｂでは、光源ユニット１０を器具本体２０に取り付ける際に、光源ユニット１０を収容凹部２１にＸ軸マイナス方向に挿入し、さらに、Ｙ軸プラス方向にスライドさせて、第１給電コネクタ２９１と第２給電コネクタ２３２とを電気的に接続する。
【００８０】
また、上記各実施の形態に係る照明装置では電源装置が光源ユニットに設けられるが、図８に示すように、照明装置１ｃでは、電源装置１３０が器具本体２０に固定されていてもよい。図８は、変形例に係る照明装置１ｃにおいて、光源ユニット１０と器具本体２０とを例示する別の分解斜視図である。この場合、第１給電コネクタ３９１は電源装置１３０に設けられ、第２給電コネクタ３３２は光源ユニット１０の基台に設けられる。この場合、系統電力からの交流電圧又は交流電流を電源装置１３０が直流電流に変換し、第１給電コネクタ３９１は第２給電コネクタ３３２に直流電流を供給する。なお、第１給電コネクタ３９１と第２給電コネクタ３３２とは、Ｘ軸方向に挿入又は抜去される。
【００８１】
また、上記各実施の形態に係る照明装置において、図９に示すように、複数の板ばね２８０が基台１００に固定されていてもよい。一対の複数の板ばね２８０が基台１００の長手方向の一端側と他端側にそれぞれ設けられてもよい。図９は、変形例に係る照明装置１ｄにおいて、光源ユニット１０を器具本体２０に装着する前における、光源ユニット１０及び器具本体２０の断面を例示する断面図である。複数の板ばね２８０のそれぞれの係合部２８１は、器具本体２０に設けられた被係合部（図９では、挿通孔２３が被係合部に相当する）と対向するように、基台１００に固定されていてもよい。
【００８２】
以上、本開示の一つ又は複数の態様に係る照明装置について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の一つ又は複数の態様の範囲内に含まれてもよい。
【符号の説明】
【００８３】
１、１ｂ、１ｃ、１ｄ  照明装置
１０  光源ユニット
２０  器具本体
２１  収容凹部（筐体）
２２  引掛け孔
２４  底面部
２５  側面部
１０３  被係合部
１２０  発光モジュール
１３０  電源装置
１３２、２３２、３３２  第２給電コネクタ
１４０  取付ばね（保持部）
１４１  コイル部
１４２  腕部
１６０  透光カバー
１８０  板ばね（取付部材）
１８２、２８１  係合部
１９１、２９１、３９１  第１給電コネクタ
【図１】
2020071999.tif 000003
【図２】
2020071999.tif 000004
【図３】
2020071999.tif 000005
【図４Ａ】
2020071999.tif 000006
【図４Ｂ】
2020071999.tif 000007
【図４Ｃ】
2020071999.tif 000008
【図５】
2020071999.tif 000009
【図６】
2020071999.tif 000010
【図７】
2020071999.tif 000011
【図８】
2020071999.tif 000012
【図９】
2020071999.tif 000013